(57)【要約】【課題】運転者本人のアルコール濃度を確実に検出し、またアルコールが検出されても、エンジンを停止させずに自動車の運転を不可能にし、さらに運転者の入れ替わりを検出する。【解決手段】飲酒運転防止システムにおいて、飲酒検出装置は、車輌のギアから脈拍とアルコール濃度を検出する第１の検出手段と、運転席着席者の脈拍を検出する第２の検出手段と、２つの脈拍検出結果より、同一人物の脈拍と判断でき、かつアルコール濃度が基準値より大きいとき、運転者を飲酒状態とする飲酒検出手段とを備え、車輌制御手段は飲酒が検出されたとき、ギアを運転不可能状態にロックする。さらに運転席の荷重変動によって運転者の入れ替わりを検出する。【選択図】図１
2007186124.tif 000002
【特許請求の範囲】
【請求項１】
車両のギアから脈拍とアルコール濃度とを検出する第１の検出手段と、
車輌の運転席の座席から脈拍を検出する第２の検出手段と、
該第１の検出手段と第２の検出手段との脈拍の検出結果より、同一人物による脈拍と判定できる場合であって、かつ該第１の検出手段によって検出されたアルコール濃度があらかじめ定められた基準値より大きいとき、該運転席着席者を飲酒状態として検出する飲酒検出手段とを備えることを特徴とする飲酒検出装置。
【請求項２】
請求項１に記載の飲酒検出装置と、
前記飲酒状態が検出されたとき、前記車輌のギアを運転不可能状態にロックする車輌制御手段とを備えることを特徴とする飲酒運転防止システム。
【請求項３】
車輌の運転席における荷重の変動を監視する荷重変動監視手段と、
該荷重の変動に対応して運転席着席者の入れ替わりを検出する入れ替わり検出手段と、
該入れ替わりが検出されたとき、入れ替わり後の運転席着席者に対するアルコール検知を実行する飲酒検出手段とを備えることを特徴とする飲酒検出装置。
【請求項４】
前記入れ替わり検出手段が、前記荷重の減少状態があらかじめ定められた時間以上継続したとき、運転席着席者の入れ替わりを検出することを特徴とする請求項３記載の飲酒検出装置。
【請求項５】
車両の運転者の入れ替わりを検出する運転者入れ替わり検出装置であって、
車輌の運転席における荷重の変動を監視する荷重変動監視手段と、
前記荷重変動監視手段が荷重の変動を検出した場合、運転者の入れ替わりを検出する入れ替わり検出手段と
を有することを特徴とする運転者入れ替わり検出装置。
【発明の詳細な説明】
【技術分野】
【０００１】
本発明は車輌の運転者の飲酒状態を検出する飲酒検出装置と、その飲酒検出装置によって運転者の飲酒状態が検出されたとき、例えば自動車のエンジンを停止させることなく、ギアを運転不可能状態にロックすることによって、飲酒運転を防止する飲酒運転防止システムに関する。更に、飲酒運転防止システムを運転者以外の者が行うことのないように運転者の入れ替わり検出を行い、飲酒運転を防止する運転者入れ替わり防止装置に関する。
【背景技術】
【０００２】
車輌、例えば自動車による交通事故は大きな社会問題となっており、特に飲酒運転は重大な交通事故の原因ともなるため、その防止は重大な課題である。従来においてはこのような飲酒運転の防止は、主として法的な規制と運転者本人の自覚に頼るものであった。
【０００３】
近年の道路交通法の改正などによって飲酒運転などに対する罰則が強化されているが、そのような罰則の強化のみでは必ずしも飲酒運転を効果的に防止することができず、自動車自体の飲酒運転を物理的に不可能とするような対策が必要となっている。
【０００４】
このような飲酒運転防止に関する従来技術としての特許文献１、２では、自動車の運転席の近傍に設置された、呼気からのアルコール蒸気検知センサによる検出値が所定の値を超えたときに、例えばイグニッション回路の作動を不可能にし、自動車の発進、走行を自動的に阻止する技術が開示されている。
【特許文献１】特開２００４−２４９８４７号「運転操作における危険防止方法、および同装置」
【特許文献２】特開平８−１５０８５３号「飲酒時の自動車エンジン始動制御装置」
【０００５】
しかしながら特許文献１、２では、基本的に自動車の運転を開始する前にアルコール濃度の検出を行い、その結果に対応して自動車の運転を不可能とするものであり、例えば走行開始後の運転者の入れ替わりや、例えば業務用のバスやタクシーなどのように本来の運転者が特定されている場合の替え玉運転などを防止することができないという問題点があった。
【０００６】
このような問題点に対応するために特許文献３では、音声によって車輌を運転する乗務員を特定するとともに、その乗務員の呼気中に含まれるアルコールを検出し、替え玉運転などによる飲酒運転の防止を確実に防止する技術が開示されている。また特許文献４には自動車キーのキーホルダーに指紋検出機能とアルコール濃度検出機能とを備え、指紋が一致しない場合、あるいはアルコール濃度が基準値以上である場合にはキー自体を使用不可能とする技術が開示されている。
【特許文献３】特開２００４−３０５４９４号  「飲酒検出装置及び該装置を用いた飲酒運転防止システム」
【特許文献４】特開２００４−１６９５２４号  「飲酒運転防止及び盗難防止機能付キー装置」
【０００７】
しかしながら特許文献３、および４の技術では、音声識別や指紋判定などの運転者認証が必要となり、その自動車を運転可能な運転者が限定され、例えば運転代行などのように第３者がその自動車を運転できなくなるという問題点がある。さらに以上に述べた従来技術では、運転者のアルコール濃度の検出は基本的に運転者の呼気によって行われており、例えば窓が開放されている場合や、運転者以外の同乗者の呼気の混入など、運転者のアルコール濃度を確実に検知することができないという問題点もあった。
【０００８】
特許文献５、および６では、このような問題点に対応して皮膚から運転者のアルコール濃度を検出する技術、および非常に低いレベルのアルコール濃度を測定する技術が開示されている。
【特許文献５】ＵＳ  Ｐａｔｅｎｔ  ６，８８６，６５３Ｂ１  “ＳＹＳＴＥＭ  ＡＮＤ  ＭＥＴＨＯＤ  ＦＯＲ  ＰＲＥＶＥＮＴＩＮＧ  ＴＨＥ  ＯＰＥＲＡＴＩＯＮ  ＯＦ  Ａ  ＭＯＴＯＲ  ＶＥＨＩＣＬＥ  ＢＹ  Ａ  ＰＥＲＳＯＮ  ＷＨＯ  ＩＳ  ＩＮＴＯＸＩＣＡＴＥＤ”
【特許文献６】ＵＳ  Ｐａｔｅｎｔ  ５，９４４，６６１  “ＰＯＴＥＮＴＩＡＬ  ＡＮＤ  ＤＩＦＦＵＳＩＯＮ  ＣＯＮＴＲＯＬＬＥＤ  ＳＯＬＩＤ  ＥＬＥＣＴＲＯＬＹＴＥ  ＳＥＮＳＯＲ  ＦＯＲ  ＣＯＮＴＩＮＵＯＵＳ  ＭＥＡＳＵＲＥＭＥＮＴ  ＯＦ  ＶＥＲＹ  ＬＯＷ  ＬＥＶＥＬＳ  ＯＦ  ＴＲＮＳＤＥＲＭＡＬ  ＡＬＣ−ＯＨＯＬ”
【発明の開示】
【発明が解決しようとする課題】
【０００９】
以上に述べた従来技術においては、呼気によってアルコール濃度を検出する場合には確実に運転者のアルコール濃度を検知することができないという問題点があった。またアルコール反応のチェックをエンジンの始動前に１度だけ行う場合には、その後の運転者の入れ替わりによる飲酒運転を防止することができないという問題点があった。さらにアルコール反応のチェックと同時に運転者の認証を行う場合には、その自動車を運転できる運転者が限定されてしまうという問題点があった。
【００１０】
またアルコールチェックによってアルコール濃度があらかじめ定められた濃度を超えている場合にエンジンの始動を不可能とする場合には、エアコンや暖房、カーラジオなども使用不可能となり、冬場や夜間、さらには災害などの緊急時において命を落としたり、避難を妨げたりする恐れがあるという問題点もあった。
【００１１】
本発明の課題は、上述の問題点に鑑み、運転者の認証を行うことなく、運転者本人のアルコール濃度を確実に検出し、その後の運転者の入替を防止するとともに、アルコールが検出されても、エンジンを停止せずに自動車の運転を不可能とすることができる飲酒運転防止システムを提供することである。
【課題を解決するための手段】
【００１２】
図１は本発明の飲酒運転防止システムの原理構成ブロック図である。同図において飲酒検出装置１が車輌制御手段２に接続されて、システムが構成される。また飲酒検出装置１は第１の検出手段３、第２の検出手段４、および飲酒検出手段５を備える。
【００１３】
第１の検出手段３は、車輌のギアから脈拍とアルコール濃度を検出するものであり、例えば自動車のシフトレバーに装着された脈拍センサ、およびアルコールセンサから構成される。
【００１４】
第２の検出手段４は、車輌の座席から脈拍を検出するものであり、例えば運転座席に備えられ、運転座席に着席した運転者の脈拍を検出するものである。
飲酒検出手段５は、第１の検出手段３と第２の検出手段４との脈拍の検出結果より、同一人物による脈拍と判定できる場合であって、かつ第１の検出手段によって検出されたアルコール濃度があらかじめ定められた基準値より大きいとき、運転席着席者を飲酒状態として検出するものである。
【００１５】
車輌制御手段２は、飲酒検出手段５によって運転席着席者の飲酒状態が検出されたとき、車輌のギアを運転不可能状態にロックするものである。
本発明の飲酒検出装置は図１の構成に加え、さらに荷重変動監視手段、入れ替わり検出手段を備える。荷重変動監視手段は車輌の運転席における荷重の変動を監視するものであり、例えば運転座席に備えられた荷重変動センサである。
【００１６】
入れ替わり検出手段は荷重変動監視手段によって検出される荷重変動に対応して運転席着席者の入れ替わりを検出するものであり、例えば荷重減少状態がある一定時間以上継続した場合に運転席着席者の入れ替わりを検出する。飲酒検出手段は運転席着席者の入れ替わりが検出されたときに入れ替わり後の運転席着席者に対するアルコール検知を実行するものであり、一定濃度以上のアルコール濃度が検出されたときには、図１における車輌制御手段によって車輌のギアを運転不可能状態にロックする制御が行われる。
【００１７】
さらに本発明の運転者入れ替わり検出装置は、前述と同様の荷重変動監視手段と、入れ替わり検出手段とを備え、運転席における荷重の変動に対応して運転者の入れ替わりを検出する。
【００１８】
以上のように本発明によれば、運転者が運転席に着席した状態での運転者の脈拍と、例えばシフトレバーに運転者が手を触れた状態で皮膚から検出された脈拍とが一致したとき、皮膚から検出されたアルコール濃度に対応して飲酒状態の検出が行われる。
【００１９】
また本発明によれば、運転席における荷重変動に対応して運転者の入れ替わりが検出され、入れ替わりが検出されたときに入れ替わり後の運転者に対するアルコール検知が実行される。
【発明の効果】
【００２０】
本発明によれば、運転席に着席した人間の脈拍と、例えばシフトレバーに手を触れている人間が同一であるか否かを脈拍の一致によって検出するため、運転者の認証を行うことなく、運転代行のように第３者が運転することが可能となる。またアルコール濃度を皮膚から測定するため、アルコール濃度の測定が確実に行われる。
【００２１】
また本発明によれば、例えば最初にアルコールチェックを行って問題なしと判定され、自動車が走行を開始した後に、エンジンを停止させることなく、運転者が飲酒者と入れ替わったような場合に、入れ替わり後の運転者に対するアルコール検出を実施することが可能となる。さらに運転者が飲酒者と入れ替わらなくとも、エンジンを停止させることなく降車して飲酒した場合には再びアルコール検出が実施され、飲酒運転を防止することができる。
【発明を実施するための最良の形態】
【００２２】
図２は、本実施形態における飲酒運転防止システムを含む自動車制御システムの全体構成ブロック図である。図３は、運転座席を中心とする飲酒検出装置の各構成ブロックの配置図である。なおこれらの図においては、本発明とは直接の関係がない自動車のハンドルシステムや、ブレーキシステムなどの構成についてはすべて省略されている。
【００２３】
図２において運転可否判別部１１は、脈拍やアルコール濃度の検出結果に応じて運転席に着席している運転者の運転可否を判別するものである。この運転可否判別部１１には脈拍同期検知器１２と、シフトレバー１３に装着され、シフトレバー１３を握った人間の皮膚からアルコール濃度を検出するアルコールセンサ１４が接続される。したがってアルコール検査対象者はシフトレバー１３を握っている運転者に限定される。
【００２４】
脈拍同期検知器１２に対しては、同様にシフトレバー１３に装着され、シフトレバーを握った人間の皮膚から脈拍を検出する脈拍センサ１５と、運転座席１６に備えられている脈拍センサ１７とのそれぞれの脈拍検出結果が与えられる。すなわち脈拍同期検知器１２は、運転座席１６に着席した運転者とシフトレバー１３を握った人間との脈拍の同期を検出することによって、運転座席１６に着席している運転者とシフトレバーを握った人間とが同一人物であるか否かを検出するものであり、運転可否判別部１１は、脈拍同期検知器１２によって脈拍の同期が検出されたときに、アルコールセンサ１４によって検出されたアルコール濃度とあらかじめ定められたアルコール濃度とを比較して、運転座席１６の着席者に対するアルコール検出を行う。
【００２５】
運転座席１６には荷重変動センサ１８が備えられる。荷重変動センサ１８は運転座席１６に着席している人間に対応する荷重の変動を検出するものであり、例えば自動車が走行開始後にパーキングエリアなどで停止し、運転者の交代が行われるときなどに、荷重変動を運転者入替判別部１９に出力し、その荷重変動に対応して運転者入替判別部１９は運転者の入れ替わりや、運転者の着席の有無を判別し、その結果を運転可否判別部１１に与える。運転可否判別部１１は、これに対応して運転座席１６に着席した運転者を対象として、脈拍同期検知器１２とアルコールセンサ１４とを用いて再び運転可否の判別を行う。
【００２６】
運転可否判別部１１には、シフトレバー制御部２０と、表示部２１とが接続される。シフトレバー制御部２０は、運転可否判別部１１が運転座席１６に着席している運転者に対する運転を許可しない場合に、シフトレバー１３の位置をギアが走行不可能状態となるようにロックさせる、すなわちオートマチックトランスミッション（ＡＴ）車の場合にはＰ（パーキング）、マニュアルトランスミッション（ＭＴ）車の場合はＮ（ニュートラル）となった状態でシフトレバー１３をロックさせる。表示部２１は、運転可否判別部１１の制御によって、後述するように運転座席着席者１６に対して、例えばシフトレバー１３を握る操作を行わせるための表示を行う。
【００２７】
エンジン制御部２２は運転可否判別部１１、およびシフトレバー制御部２０に接続され、ギアの状態がＡＴ車ではＰ、ＭＴ車ではＮのときにのみエンジン２３の始動を許可する。エンジン制御部２２はエンジンスタータ２４を介してエンジン２３と接続され、エンジンの始動はエンジンキー２５によって行われる。さらに運転者入替判別部１９には速度計２６が接続され、運転者入替判別部１９は前述のように、例えばパーキングエリアにおいて自動車が停止したとき、すなわちその速度が“０”となった時点で運転者の入替の判別を行う。
【００２８】
図３において、前述のように運転座席１６には脈拍センサ１７と荷重変動センサ１８が装着される。またシフトレバー１３には、シフトレバーを握った人間の皮膚から、その人間のアルコール濃度、脈拍を検出するアルコールセンサ１４、脈拍センサ１５が備えられる。２つの脈拍センサ１５と１７による脈拍の検出結果は脈拍同期検知器１２に与えられ、それらの脈拍の同期が検出されることによって、運転座席１６の着席者とシフトレバーを握った人間とが同一であることが検出される。
【００２９】
運転可否判別部１１に対しては、脈拍同期検知器１２とアルコールセンサ１４、および運転者入替判別部１９の出力が与えられ、運転座席着席者とシフトレバー１３を握った人間とが同一であるときに、アルコールセンサ１４の検出結果に応じて運転者の運転可否が判別される。また運転座席１６に装着された荷重変動センサ１８によって検出された荷重変動に対応して、運転者入替判別部１９によって運転者の入れ替わりが検出されたときに、運転座席１６に新たに着席した運転者に対する脈拍同期検知器１２による同期検出と、アルコールセンサ１４によるアルコール濃度検出が実行され、新たに運転座席に着席した運転者の運転可否が再び判別される。なお運転可否判別部１１は、運転者に対するアルコール検査が終了していない時点では、シフトレバー制御部２０によって自動車がＡＴ車の場合はギアをＰ、ＭＴ車の場合にはＮとして、エンジンが始動されてもシフトレバーをその位置でロックさせ、アルコール検査が終了し、運転者の運転を可とするときにのみシフトレバーのロックの解除を行わせる。
【００３０】
なお本発明の特許請求の範囲の請求項１における第１の検出手段は図２のアルコールセンサ１４と脈拍センサ１５とに、第２の検出手段は脈拍センサ１７に、飲酒検出手段は脈拍同期検知器１２と運転可否判別部１１とに相当し、請求項２における車輌制御手段はシフトレバー制御部２０に相当する。さらに請求項３における荷重変動監視手段は荷重変動センサ１８に、入れ替わり検出手段は運転者入替判別部１９に相当する。
【００３１】
図４は、本実施形態における飲酒運転防止方式の動作フローチャートである。例えば運転者が運転座席に着席して動作が開始され、ステップＳ１で運転者によってエンジンキーが回されると、ステップＳ２でシフトレバー制御部２０を介して、運転可否判別部１１によってシフトレバーがＰレンジ（ＡＴ車、ＭＴ車の場合はＮの位置）になっているか否かが判定され、なっていない場合にはステップＳ３でエンジンの始動が許可されないことを示す警告を表示部２１によって運転者に伝え、シフトレバーをＰレンジ（Ｎの位置）にするように運転者に操作が求められる。
【００３２】
運転者によって再びステップＳ１でエンジンキーが回され、ステップＳ２でシフトレバーがＰレンジになっていると判定されると、ステップＳ４で運転可否判別部１１によってエンジン制御部２２に対してエンジンの始動が許可され、その後ステップＳ５でシフトレバー制御部２０によってシフトレバー１３のロックが行われる。
【００３３】
シフトレバーのロック完了後にステップＳ６で運転者に対して表示部２１によって運転可否の判定を行うための表示（または音声通知）が行われる。すなわち運転者に対して、シートベルトを装着し、シフトレバーを握る操作を求める表示が行われる。シートベルトを装着することによって、運転座席１６への運転者の着席が確実となり、脈拍センサ１７による運転者の脈拍の検出が確実に行われる。
【００３４】
続いてステップＳ７で運転者によってシフトレバーが握られた後に、運転可否判別部１１によってステップＳ８で荷重変動センサ１８による荷重変動検出結果、この場合には荷重の増加に対応して運転者の運転座席１６への着席の判定が行われ、着席していないと判定されるとステップＳ９で表示部２１によって運転者に対して「運転席に座ってください。」という警告が行われ、ステップＳ５以降の動作が繰り返される。
【００３５】
ステップＳ８で運転者が運転座席１６に着席していると判定されると、ステップＳ１０で運転可否判別部１１によって、脈拍同期検知器１２を介した脈拍センサ１５の出力などに対応して、運転者がシフトレバー１３を握っているか否かが判定され、握っていない場合にはステップＳ１１で表示部２１によって「シフトレバーを握ってください。」という警告が表示された後に、ステップＳ５以降の動作が繰り返される。
【００３６】
ステップＳ１０で運転者がシフトレバー１３を握っていると判定されると、ステップＳ１２で運転座席１６に着席している人の脈拍の脈拍センサ１７による測定結果が脈拍同期検知器１２に、またステップＳ１３でシフトレバー１３に装着されている脈拍センサ１５の測定結果が与えられ、ステップＳ１４で脈拍同期検知器１２によって脈拍センサ１７の出力と脈拍センサ１５の出力の同期が取れているか否かが判定される。ここで２つの脈拍センサの出力の同期が取れているか否かの判定は、例えば２つの脈拍センサの出力する脈拍パルスの波形を比較し、２つの脈拍パルスの同期を検出することによって行われるが、簡単のためにはある時間内の脈拍数の一致を検出することによって行うことも可能である。
【００３７】
２つの脈拍センサの出力の同期が取れていないと判定されると、ステップＳ１５で表示部２１によって運転者に対して「もう一度やり直してください。」という警告が表示された後に、ステップＳ５以降の動作が繰り返される。
【００３８】
脈拍センサ１７と１５との検出結果の間で同期が取れていると判定されると、ステップＳ１６でアルコールセンサ１４を用いて運転者のアルコール濃度が測定され、ステップＳ１７でアルコール反応がないか否かが判定され、アルコール反応が検出された場合にはステップＳ１８で「アルコール反応がありました。あなたは運転できません。」という警告が表示部２１によって運転者に対して表示された後に、ステップＳ５以降の動作が繰り返される。
【００３９】
アルコール反応が検出されなかった場合には、ステップＳ１９で運転可否判別部１１によってシフトレバー制御部２０に対してシフトレバー１３のロックを解除させ、ステップＳ２０で「あなたは運転可能です。」というチェック結果の表示が表示部２１によって運転者に通知され、運転者が車輌を運転することが可能となる。
【００４０】
ステップＳ２１で車輌の走行が開始されると、ステップＳ２２で走行速度が“０”になったか否かが速度計２６によって監視され、なっていない場合には車輌の走行は継続される。走行速度が“０”になった場合には、運転者入替判別部１９によって荷重変動センサ１８による測定結果を用いて運転席で荷重の変化があったか否かが判定される。
【００４１】
ここではアルコール検査に合格した運転者が車輌の運転を開始してから、例えばサービスエリアに停止し、走行速度が“０”の状態で運転者の交代があったか否かが判定される。すなわち運転席での荷重が減った状態がある一定時間以上継続した場合に運転者の入れ替わりがあったとの判定が行われる。運転者が一時的に運転席を離れた場合でも同様に扱われるが、荷重の変化がなかったと判定された場合にはステップＳ２１に戻り、車輌の走行再開が可能となる。
【００４２】
荷重の変化があったと判定されると、ステップＳ２４でシフトレバーがＰレンジ（Ｎ位置）以外であるか否かが判定される。以外でない場合、すなわち車輌の走行が不可能な位置である場合にはステップＳ５に戻り、シフトレバーがロックされた後に運転席に着席している運転者が運転可能かどうかの判定が繰り返される。
【００４３】
ステップＳ２４でシフトレバーが車輌走行可能な位置にある場合には、ステップＳ２５で運転可否判別部１１によって表示部２１を介して運転者にＰレンジ（Ｎ位置）に戻すように表示が行われ、一定時間が経過した後にステップＳ２６でシフトレバー制御２０を介してシフトレバーが車輌運転不可能に変更されたか否かが判定され、変更された場合にはステップＳ５以降の動作が繰り返される。変更されていない場合にはステップＳ２７でエンジン制御部２２によってエンジン２３を強制的に停止させて処理を終了する。この場合には運転席の運転者は、図４の最初のステップＳ１におけるエンジンキーを回す操作から動作を行わなければならないことになる。
【００４４】
以上において本実施形態における飲酒運転防止システムの動作について詳細に説明したが、シフトレバーの位置を運転者の操作によることなく、例えばシフトレバー制御部２０によって自動的に変更する機構がある場合には、フローチャート内の一部の動作を簡略化することができる。そのような機構がある場合には図４のステップＳ２からステップＳ５までの動作に代わって、シフトレバーがＰレンジ（Ｎ位置）になっていない場合には強制的にシフトレバーをその状態に変更させた上でエンジン始動を行うことができる。同様にステップＳ２５からＳ２７の処理に代わって、シフトレバーを強制的に車輌走行不可能状態に変更させた上で、ステップＳ５でシフトレバーをロックする動作を行ってもよい。
【００４５】
（付記１）
車両のギアから脈拍とアルコール濃度とを検出する第１の検出手段と、
車輌の運転席の座席から脈拍を検出する第２の検出手段と、
該第１の検出手段と第２の検出手段との脈拍の検出結果より、同一人物による脈拍と判定できる場合であって、かつ該第１の検出手段によって検出されたアルコール濃度があらかじめ定められた基準値より大きいとき、該運転席着席者を飲酒状態として検出する飲酒検出手段とを備えることを特徴とする飲酒検出装置。
（付記２）
付記１に記載の飲酒検出装置と、
前記飲酒状態が検出されたとき、前記車輌のギアを運転不可能状態にロックする車輌制御手段とを備えることを特徴とする飲酒運転防止システム。
（付記３）
車輌の運転席における荷重の変動を監視する荷重変動監視手段と、
該荷重の変動に対応して運転席着席者の入れ替わりを検出する入れ替わり検出手段と、
該入れ替わりが検出されたとき、入れ替わり後の運転席着席者に対するアルコール検知を実行する飲酒検出手段とを備えることを特徴とする飲酒検出装置。
（付記４）
前記入れ替わり検出手段が、前記荷重の減少状態があらかじめ定められた時間以上継続したとき、運転席着席者の入れ替わりを検出することを特徴とする付記３記載の飲酒検出装置。
（付記５）
付記３に記載の飲酒検出装置と、
前記飲酒状態が検出されたとき、前記車輌のギアを運転不可能状態にロックする車輌制御手段とを備えることを特徴とする飲酒運転利防止システム。
（付記６）
車両の運転者の入れ替わりを検出する運転者入れ替わり検出装置であって、
車輌の運転席における荷重の変動を監視する荷重変動監視手段と、
前記荷重変動監視手段が荷重の変動を検出した場合、運転者の入れ替わりを検出する入れ替わり検出手段と
を有することを特徴とする運転者入れ替わり検出装置。
【図面の簡単な説明】
【００４６】
【図１】本発明の飲酒運転防止システムの原理構成ブロック図である。
【図２】本発明の飲酒検出装置を含む自動車制御システムの全体構成ブロック図である。
【図３】図２に対応する飲酒検出装置の運転座席付近の配置を示す図である。
【図４】飲酒運転防止システムにおける詳細動作のフローチャートである。
【符号の説明】
【００４７】
１  飲酒検出装置
２  車輌制御手段
３  第１の検出手段
４  第２の検出手段
５  飲酒検出手段
１１  運転可否判別部
１２  脈拍同期検知器
１３  シフトレバー
１４  アルコールセンサ
１５  脈拍センサ
１６  運転座席
１７  脈拍センサ
１８  荷重変動センサ
１９  運転者入替判別部
２０  シフトレバー制御部
２１  表示部
２２  エンジン制御部
２３  エンジン
２４  エンジンスタータ
２５  エンジンキー
２６  速度計
【図１】
2007186124.tif 000003
【図２】
2007186124.tif 000004
【図３】
2007186124.tif 000005
【図４】
2007186124.tif 000006